(57)【要約】      （修正有）【課題】  重りの荷重で自動的に閉じるように、吊り重りを内装し、その荷重に抗して開く動作が容易であるとともに、荷重が倍力で働くために自動的に閉じやすく、しかも、これらの仕組みが被覆されるためにトラブルが防止されると同時に体裁が良好であり、扉と扉との間に誤って手を挟まれる危険がなくなる折畳み式開閉扉を提供する。【解決手段】  開口枠に軸支される基部扉１に、単独に又は複数枚の従属扉２を順次に端面間で開閉するように連結した折畳み式開閉扉であって、各連結部では、隣接両扉又は一方の扉に吊り重り４を内装するとともに、重りの力が前記端面間が閉じる方向へ倍力で付勢する滑車装置８，９が装備され、さらに、隣接両扉の間には、滑車装置８，９の配線が被覆されるように指つめ防止桟１０の先端がスライド可能に係合するガイドレール４８を配設した。【選択図】    図２
2006070612.tif 000002
【特許請求の範囲】
【請求項１】
開口枠に軸支される基部扉に、従属扉を単独に又は副数枚の従属扉を順次に、端面間で開閉するように連結した折畳み式開閉扉であって、各連結部では折畳みにより隣接扉の端面間が開く側において、隣接両扉又は一方の扉に吊り重りを内装するとともに、相対的に動となる相手の扉に吊り線が掛かる動滑車を配設し、相手の扉との間に重りの吊り線が定滑車と動滑車間で張られることにより、重りの力が前記端面間が閉じる方向へ倍力で付勢することになる滑車装置が装備され、さらに、隣接両扉の間には、滑車装置の配線が被覆されるように指つめ防止桟を一方の扉に開閉可能に軸支するとともに、他方の扉に開かなく常時伏せるように、その扉に指つめ防止桟の先端がスライド可能に係合するガイドレールを配設したことを特徴とする折畳み式開閉扉。
【請求項２】
重りのスライド穴に、吊り線により吊り下げられている下部重りの外に、上下動範囲が規制される上部重りを内装し、上部重りの中心に吊り線が挿通される通し穴が設けてあって、扉開き中途操作時点で、下部重りの吊り上げで上部重りが押し上げられるように、少なくとも二段式重りの吊り構造を構成したことを特徴とする請求項１記載の折畳み式開閉扉。
【発明の詳細な説明】
【技術分野】
【０００１】
この発明は、複数枚の扉が蝶番により連結されている折畳み式開閉扉に関する。
【背景技術】
【０００２】
扉は一般的に一枚で建物躯体に軸支されるが、開口部が広いときには、複数枚の扉が蝶番で連結される折畳み式開閉扉が使用される。この場合、開口部の上枠に車輪の走行レールが設けられ、上枠と下枠とに軸支される基部扉以外の従属扉については、走行レール上の車輪に回転軸で吊り下げられ、このような折畳み式開閉扉では、レール移動と開閉とが同時進行する。
【０００３】
折畳み式開閉扉を開くときには、従動扉に突設される把手を引く動作により折り畳み、閉じるときには逆に把手を押す動作となるが、どちらかと言えば閉じる動作に力が入らない傾向があり、閉じるのがおっくとなり、中途で取り止めたり閉じ忘れたりすることが多い。この点については、ドアを自動的に閉じるために、ドアが開くときに吊り重りが持ち上げられ、その位置エネルギーで自動的に閉じるようにしたドアの構成とすることがあった。
【０００４】
しかし、これによると、ドアを開くときには、吊り重りの荷重に抗する力となるため、老人や身障者、子供のように力の弱い者が使用するのに負担が掛かるという問題があった。また、閉じるときには、把手に力を加えにくいことから、補助的に室内側に突出している両扉の連結箇所を押す動作を加えることがあり、その時に手が両扉の間に挟まれる事故を招きやすかった。
【０００５】
すなわち、閉じるときのことを見ると、隣接する扉と扉との端面が蝶番の軸を中心に閉じるため、そこに誤って指を入れたときに挟まって怪我をすることがあった。特に、二枚扉の場合であると、それが付き合う箇所を押して閉じようとするために挟まれやすい。また、多数の扉が連続する場合でも、先頭の扉を押す者を助けるために、中途に介入する人が挟まれることがある。
【発明の開示】
【発明が解決しようとする課題】
【０００６】
この発明は、上記のような実情に鑑みて、重りの荷重で自動的に閉じるようにするために、吊り重りを内装した構造において、その荷重に抗して開く動作が容易であるとともに、荷重が倍力で働くために自動的に閉じやすく、しかも、これらの仕組みが被覆されるためにトラブルが防止されると同時に体裁が良好であり、扉と扉との間に誤って手を挟まれる危険がなくなる折畳み式開閉扉を提供することを課題とした。
【課題を解決するための手段】
【０００７】
上記の課題を解決するために、この発明は、開口枠に軸支される基部扉に、従属扉を単独に又は副数枚の従属扉を順次に、端面間で開閉するように連結した折畳み式開閉扉であって、各連結部では折畳みにより隣接扉の端面間が開く側において、隣接両扉又は一方の扉に吊り重りを内装するとともに、相対的に動となる相手の扉に吊り線が掛かる動滑車を配設し、相手の扉との間に重りの吊り線が定滑車と動滑車間で張られることにより、重りの力が前記端面間が閉じる方向へ倍力で付勢することになる滑車装置が装備され、さらに、隣接両扉の間には、滑車装置の配線が被覆されるように指つめ防止桟を一方の扉に開閉可能に軸支するとともに、他方の扉に開かなく常時伏せるように、その扉に指つめ防止桟の先端がスライド可能に係合するガイドレールを配設したことを特徴とする折畳み式開閉扉を提供するものである。
【０００８】
折畳み式開閉扉を上記のように構成したから、これを開くと重りを持ち上げることになる。しかし、動滑車を有する滑車装置が介在していることから、重りの荷重に抗する少ない力で開き動作をなし得る。また、逆に閉じるときには、動滑車の数等により２倍，４倍というように、倍力で重りの力が閉じる方向に作用する。したがって、重りの力で自動的に閉じるように設定しやすい。
【０００９】
また、滑車装置を構成する両扉間の配線は、指つめ防止桟により常時被覆されているので、単に指つめの危険を防止できるだけでなく、配線トラブルを未然に防止でき、配線が見えないために体裁も良好である。
【発明の効果】
【００１０】
以上説明したように、この発明の折畳み式開閉扉によれば、重りの荷重で自動的に閉じるようにするために、吊り重りを内装した構造において、隣接相手の扉に動滑車を設けて定滑車と動滑車とに配線する滑車装置を具備したから、重りの荷重に抗して開く動作が容易であるとともに、荷重が倍力で働くことから自動的に閉じやすいので、力の弱い子供や身障者、老人の負担を軽減でき、しかも、これらの仕組みが被覆されるためにトラブルが防止されると同時に体裁が良好であり、扉と扉との間に誤って手を挟まれる危険がなくなるという優れた効果がある。
【００１１】
また、重りを二段式とすると（請求項２）、さらに開きやすく好都合である。
【発明を実施するための最良の形態】
【００１２】
次に、この発明の実施形態を図面に基づいて説明する。
【００１３】
図面は、一実施の形態を示したもので、その折畳み式開閉扉Ｄは、基部扉１と、それに開閉可能に連結される一枚の従属扉２との二枚の扉とからなる。なお、これは浴室等の出入口において多用される形態であるが、従属扉２が多数枚であるときも同様に実施できる。いずれにしても、基部扉１に重り４が内装されるばかりでなく、従属扉２に上部重り６ａと下部重り６ｂが二段対で内装され、両扉１，２の重りについて相手の扉との双方に渡って滑車装置８，９が構成される。これらは上部Ａにおいて装備されるが（図１）、上下全長にわたって両扉１，２の間に指つめ防止桟１０が介在される。なお、図２においては、扉１，２についてそれぞれ上框を欠除して示す。
【００１４】
折畳み式開閉扉Ｄは、相互に裏側で蝶番１３により連結される基部扉１と従属扉２とからなるものであるが（図２）、出入口の開口枠Ｆに基部扉１が基端で上下ピン１４，１４により開閉可能に軸支され（図１）、従属扉２が上枠に内装される走行レール５に係合する車輪７に回転軸１６で吊り下げられ、その回転軸１６が幅中央よりもやゝ先端寄りに設けられているので、把手１１を前方へ（裏側へ）押すと回転軸１６を中心に従属扉２が回転して基部扉１と従属扉２との連結部が手前へ突出しながら（図２）、従属扉２が車輪７とともに移動して開く（矢印Ｐａ）ことになる。図２が開き中途の状態を示す。
【００１５】
重り４，６ａ，６ｂと、それについての滑車装置８，９をそれぞれ内装するために、基部扉１と従属扉２との上部Ａには、いずれにも連結端部の外側に縦長の内部空間１５，１７が設けられる。その構造については、図６、図７に示すように、扉１，２の外側に段状の切欠を設け、そこにＬ字形の底板１９，２１を貼着し、底板１９，２１と外表板２３，２５との間が内部空間１５，１７となっている。次に、こうして設けられた内部空間１５，１７における滑車装置８，９を基部扉１と従属扉２とについて説明する。
【００１６】
基部扉１においては、内部空間１５の上端部近くから下端にかけてチャンネル形のガイド部材２７を内装することにより、底板１９との間に重り４のスライド穴３５が設けられている（図６）。また、上部には内部空間１５が横に張り出す横空間１５ａを有する。この横空間１５ａは、指つめ防止桟９のガイドレール４８を延設するために拡張される。そこで、重り４の吊り線３３は、幾つかの定滑車３０，３０，・・とローラ３２，３２，・・を介することによりガイドレール４８を迂回して従属扉２に至り、そこにおける動滑車３０ａで反転して先端が基部扉１に固定される留め金５０に止められる。なお、留め金５０の中に吊り線３３が掛かるローラが内装される。
【００１７】
そこで、扉Ｄを開いたときに（矢印Ｐａ）、滑車装置８により重り４を引き上げる力は（摩擦等を無視して）１／２に減じられるが、逆に重り４の荷重が扉Ｄを閉じる方向（Ｐｂ）へ２倍に働くことになる。
【００１８】
従属扉２においては、内部空間１７にチャンネル形のガイド部材２８を内装することにより、底板２１との間に上部重り６ａと下部重り６ｂとのスライド穴３６が設けられる。そして、スライド穴３６には、上部重り６ａが上部において上下するように、ガイド部材２８の側面にスリット３７を設け、上部重り６ａにスリット３７に上下可能に移動する係合ピン３９が突設される。なお、スリット３７の上端には係合ピン３９を掛けておくための切欠４０が設けてある。したがって、上部重り６ａを不動に遊ばせておくこともできる。
【００１９】
上部重り６ａの中心には吊り線３４の通し穴４１が形成されており、上部重り６ａに接続した吊り線３４がその通し穴４１を抜けて上方の定滑車３１に掛けられ、基部扉１に有する動滑車３１ａに掛けて反転され、従属扉２に有する二次定滑車３１ｂに掛けて再び反転され、基部扉１にその吊り線３４の先端が留め金５２で止められる。したがって、扉Ｄを開くときには、下部重り６ｂを（又は下部重り６ｂと上部重り６ａとを）１／４の力で持ち上げることになり、また、閉じるときには重り６ａ，６ｂが４倍の力で作用する。
【００２０】
また、扉Ｄを開いたとき（矢印Ｐａ参照）、滑車装置９が作動して最初に下部重り６ｂが持ち上げられ、それから上部重り６ａに突き当たったときにそれも同時に持ち上げられる。したがって、扉Ｄを開く初期動作に必要な力が軽減されることになる。また、開く範囲を半開き程度に限定すれば、上部重り６ａを持ち上げる必要のない軽い操作で済むことになる。
【００２１】
なお、動滑車３０ａ，３１ａを相手の扉に取り付けるために、爪付き取付ブロック５８，５９にそれを軸支し、取付ブロック５８，５９の装填部６０，６１が相手の扉に設けられる。
【００２２】
指つめ防止桟９は、アングル状にＬ字形の屈折部材であって、従属扉２に開閉可能に軸支されている。この軸支方法については、従属扉２の心材の上下両端に止められる板金具４３等によってピン連結される。しかし、これだけでは、指つめ防止桟９が自然に開く不都合があるので、常時伏せておくために、基部扉１の表側にガイドレール４８を埋設し、指つめ防止桟９の開閉先端にガイドレール４８に係合するガイドローラ４３が取り付けられている。
【００２３】
また、重り４には副重り４６が上下する縦穴５４を設け（図３）、定滑車５６，５６を介して、吊り線５８がガイドレール４３を引くように設定され、これにより、指つめ防止桟１０が確実に伏せるているようにしてある。なお、吊り線３３，３４，５８には、ロープ，鎖，線材等が使用される。
【図面の簡単な説明】
【００２４】
【図１】この発明の一の実施形態を示す折畳み式開閉扉の正面図である。
【図２】図１のＡ部を中途開きにおいて示す拡大斜視図である。
【図３】主に基部扉の内部構造として重りと滑車装置を示す正面図である。
【図４】主に従属扉の内部構造として重りと滑車装置を示す正面図である。
【図５】同重りと滑車装置を示す側面図である。
【図６】図３のＢ−Ｂ線矢視の拡大断面図である。
【図７】図４のＣ−Ｃ線矢視の拡大断面図である。
【符号の説明】
【００２５】
Ｄ  折畳み式開閉扉
Ｆ  開口枠
１  基部扉
２  従属扉
４  重り
６ａ  上部重り
６ｂ  下部重り
８，９  滑車装置
１０  指つめ防止桟
３０，３１  定滑車
３０ａ，３１ａ  動滑車
３３，３４  吊り線
３５，３６  スライド穴
４８  ガイドレール
Ｐａ  扉が開く動作方向
Ｐｂ  扉が閉じる動作方向
【図１】
2006070612.tif 000003
【図２】
2006070612.tif 000004
【図３】
2006070612.tif 000005
【図４】
2006070612.tif 000006
【図５】
2006070612.tif 000007
【図６】
2006070612.tif 000008
【図７】
2006070612.tif 000009